(57)【要約】【課題】            給気流に含まれる水の飛沫によるドレンを装置外に具合よく排水処理できる換気装置を得る。【解決手段】        建物の外部と室内とを室外吸込口１と室内吹出口２を通じて繋げる給気通風路３と、建物の室内と外部とを室内吸込口４と室外吹出口５を通じて繋げる排気通風路６と、給気通風路３に給気流を形成する送風機８と、排気通風路６に排気流を形成する送風機９と、給気通風路３と排気通風路６とを流れる気流間での熱交換を行なう熱交換器１０とを備えた換気装置について、熱交換器１０の給気流が流入する入口部分に生じるドレンを排気通風路６側へ排水するエアーフィルター１１とドレン抜孔を有する排水処理部を設ける。【選択図】          図１
2006112729.tif 000002
【特許請求の範囲】
【請求項１】
建物の外部と室内とを室外吸込口と室内吹出口を通じて繋げる給気通風路と、同建物の室内と外部とを室内吸込口と室外吹出口を通じて繋げる排気通風路と、前記給気通風路に前記室外吸込口から室内吹出口へ向う給気流を形成する送風機と、前記排気通風路に前記室内吸込口から室外吹出口へ向う排気流を形成する送風機と、前記給気通風路と排気通風路との一部を構成し、両者を流れる気流間での熱交換を行なう熱交換器とを備えた換気装置であって、前記熱交換器の給気流が流入する入口部分に生じるドレンを前記排気通風路側へ排水する排水処理部を設けた換気装置。
【請求項２】
請求項１に記載の換気装置であって、排水処理部を熱交換器の給気流が流入する入口部分に設けたエアーフィルターによる捕水機能体と、この捕水機能体で捕水したドレンを当該部の給気通風路の下側に位置する排気通風路に導くドレン抜孔で構成した換気装置。
【請求項３】
請求項２に記載の換気装置であって、エアーフィルターの下にドレン抜孔を設け、このエアーフィルターによって前記ドレン抜孔を通じての気流の流通を阻止した換気装置。
【請求項４】
請求項２に記載の換気装置であって、エアーフィルターとは離れた位置にドレン抜孔を設けた換気装置。
【請求項５】
請求項４に記載の換気装置であって、エアーフィルターの下にもドレン抜孔を設けた換気装置。
【請求項６】
請求項４又は請求項５のいずれかに記載の換気装置であって、エアーフィルターから離れた位置のドレン抜孔に気流の流通を阻止し、通水はこれを許容する気流阻止部材を設けた換気装置。
【請求項７】
請求項２〜請求項６までのいずれかに記載の換気装置であって、ドレン抜孔にドレンを導く導水部を設けた換気装置。
【請求項８】
請求項１〜請求孔７までのいずれかに記載の換気装置であって、熱交換器の排気流が流出する出口部分に臨む排気通風路にドレン受皿を設け、ドレン抜孔からのドレンをこのドレン受皿に受容するようにし、このドレン受皿のドレンを室外吹出口に排水するようにした換気装置。
【発明の詳細な説明】
【技術分野】
【０００１】
本発明は、外気の取入れと室内の空気の排気を熱交換器によって熱交換しながら行なう換気装置に関するものである。
【背景技術】
【０００２】
外気の取入れと室内の空気の排気を熱交換器によって連続的に熱交換しながら行なう換気装置では、熱交換器の流体通路に結露が生じるため、この結露を具合良く排水処理する工夫を講じたものが、特許文献１に開示されている。
【０００３】
【特許文献１】特開２０００−３５６３８１号公報
【発明の開示】
【発明が解決しようとする課題】
【０００４】
この種の換気装置においては、熱交換器の排気流を通す流体通路に結露が発生しやすい。これを本体の下部に取付けた露受皿で受け止め、室内の床面の汚損を防いでいるのが特許文献１に示されている換気装置である。しかし、給気流に含まれるミスト状の水の飛沫が凝集して給気通風路にドレンが生じることもある。住宅の常時換気に供するものでは、霧雨時や霧発生時などの運転で給気通風路に随分多量のドレンが発生する。熱交換器にはその流体通路の入口側にエアーフィルターが設けられているが、このエアーフィルターに水の飛沫が捕水され、エアーフィルターを濡らし、流下して当該部の給気通風路に溜まって、構造体の隙間等から装置外に滴下するといった問題が表面化している。
【０００５】
本発明は、上記した課題を解決するためになされたものであり、その目的とするところは、給気流に含まれる水の飛沫によるドレンを装置外に具合よく排水処理できる常時換気に適した換気装置を得ることであり、一般的に生じるドレンも包括して排水処理できる換気装置を得ることである。
【課題を解決するための手段】
【０００６】
上記課題を解決するために本発明は、建物の外部と室内とを室外吸込口と室内吹出口を通じて繋げる給気通風路と、建物の室内と外部とを室内吸込口と室外吹出口を通じて繋げる排気通風路と、給気通風路に室外吸込口から室内吹出口へ向う給気流を形成する送風機と、排気通風路に室内吸込口から室外吹出口へ向う排気流を形成する送風機と、給気通風路と排気通風路との一部を構成し、両者を流れる気流間での熱交換を行なう熱交換器とを備えた換気装置について、その熱交換器の給気流が流入する入口部分に生じるドレンを排気通風路側へ排水する排水処理部を設ける手段を採用する。
【発明の効果】
【０００７】
本発明によれば、霧雨時や霧発生時などの運転で給気通風路に流れる給気流に多量の水の飛沫が含まれていても熱交換器の給気流が流入する入口部分に発生するドレンは、排水処理部により排気通風路側へ排水され、排気流とともに装置外へ排水処理される。従って、室内に水が滴下するような問題を解決することができる。
【発明を実施するための最良の形態】
【０００８】
本発明の換気装置は、建物の外部と室内とを室外吸込口と室内吹出口を通じて繋げる給気通風路と、建物の室内と外部とを室内吸込口と室外吹出口を通じて繋げる排気通風路と、給気通風路に室外吸込口から室内吹出口へ向う給気流を形成する送風機と、排気通風路に室内吸込口から室外吹出口へ向う排気流を形成する送風機と、給気通風路と排気通風路との一部を構成し、両者を流れる気流間での熱交換を行なう熱交換器とを備えた換気装置について、その熱交換器の給気流が流入する入口部分に、エアーフィルターを給気通風路を横断する状態に設ける。エアーフィルターとしては、ポリエステルやモダアクリル等を主体として構成された耐水性のあるものを使う。そしてこのエアーフィルターを捕水機能体とした排水処理部を構成する。排水処理部は、エアーフィルターを抜き差しするためのトレンチを給気通風路の上下に構成し、下のトレンチにドレン抜孔を排気通風路に向って開ける。トレンチには、ドレン抜孔に向う勾配を付け、ドレン抜孔は、エアーフィルターの装着状態ではエアーフィルターが気流の流通を阻止するよう覆われる。
【０００９】
この換気装置によれば、霧雨時や霧発生時などの運転で給気通風路に流れる給気流に多量の水の飛沫が含まれていても熱交換器の給気流が流入する入口部分に設けたエアーフィルターに捕水されドレンとなって溜まる。そして溜まったドレンは排水処理部のトレンチのドレン抜孔から排気通風路へ排水され、排気流とともに装置外へ排水処理される。
【００１０】
実施の形態１．
図１は、本実施の形態の換気装置を示す縦断正面図、図２は、その排水処理部を示す拡大断面図、図３〜図５は、ドレン抜孔の形態をそれぞれ示す部分平面図、図６は、ドレン受皿を設けた拡大断面図である。本実施の形態の換気装置は、図１に示すように、建物の外部と室内とを室外吸込口１と室内吹出口２を通じて繋がる給気通風路３と、建物の室内と外部とを室内吸込口４と室外吹出口５を通じて繋がる排気通風路６とが本体箱体７に構成されている。本体箱体７の前面には化粧パネルが係脱可能に装着され、本体箱体７の給気通風路３の室内吹出口２と、排気通風路６の室内吸込口４がそれぞれ化粧パネルに左右に離反して開口している。
【００１１】
給気通風路３の室外吸込口１と排気通風路６の室外吹出口５は、本体箱体７の背面の略中央に横並びに隣接して設けられていて、それらのいずれも建物の外部に連絡できるようになっている。給気通風路３には室外吸込口１から室内吹出口２へ向う給気流を形成する送風機８が、排気通風路６には室内吸込口４から室外吹出口５へ向う排気流を形成する送風機９が組込まれている。給気通風路３と排気通風路６との一部は、それぞれ独立して交差する流体通路を持つ積層型の熱交換器１０の各流体通路によって構成され、熱交換器１０の各流体通路を流れる給排気流間で連続的な熱交換が行なわれる。
【００１２】
即ち、室内吸込口４から送風機９によって吸込まれた室内の空気は、本体箱体７の前面側を横方向に流れ熱交換器１０の一方の流体通路を上下方向に通過し、本体箱体７の背面側下部に向い、室外吹出口５から室外へ排気される。一方、本体箱体７の背面下部の室外吸込口１から送風機８によって吸込まれた室外の空気は、本体箱体７の背面側に構成された給気通風路３を経て熱交換器１０の他方の流体通路を横方向に通過し、前面の室内吹出口２から室内へ吹出され、経路の途中において熱交換器１０において給排気流間での熱交換が行なわれる。
【００１３】
熱交換器１０の給気流が流入する入口部には排水処理部が設けられている。排水処理部は給気流に混ざったミスト状の水の飛沫を捕水する捕水機能体と排水構造から構成されている。捕水機能体はエアーフィルター１１であって、熱交換器１０の給気流が流入する入口部の給気通風路３を横断する状態に設けられ、給気流に含まれている塵埃及び水の飛沫を捕捉する。エアーフィルター１１としては、ポリエステルやモダアクリル等を主体として構成された耐水性のあるものが用いられている。排水構造は、エアーフィルター１１を前方から抜き差しするためのトレンチ１２として給気通風路３の上下に構成され、下のトレンチ１２の底にはドレン抜孔１３が隔壁を隔てて下を通る室外吹出口５に臨む排気通風路６に向かって開けられている。トレンチ１２には、ドレン抜孔１３に向かう勾配が付けられ、ドレン抜孔１３は、エアーフィルター１１の装着状態ではエアーフィルター１１の下面が気流の流通を阻止するよう覆つている。
【００１４】
この換気装置によれば、霧雨時や霧発生時などの運転で給気通風路３に流れる給気流に多量の水の飛沫が含まれていても熱交換器１０の給気流が流入する入口部分に設けたエアーフィルター１１に捕水されドレンとなって下のトレンチ１２に溜まる。そして溜まったドレンはトレンチ１２の底に開けられたドレン抜孔１３から排気通風路６へ排水され、室外吹出口５から排気流とともに装置外へ排水処理され、室内に滴下するようなことはない。従って、常時換気用として好適な換気装置と言える。
【００１５】
ドレン抜孔１３については、スリット状でも丸孔でもよく、図３に示すように複数でも単数でも構わない。また、ドレン抜孔１３を図４に示すようにエアーフィルター１１から離れた近傍にも設けて、排水処理の円滑化を図ることもできる。この場合、図５に示すようにドレン抜孔１３に、気流の流通は阻止し、通水についてはこれを許容する不織布等の気流阻止部材１４を設けることにより送風に係る性能低下を来さないようにすることができる。また、ドレン抜孔１３に図６に示すようにドレンを導く導水部としてのチューブ１５を設けて水の滴下による飛沫の発生を抑えることができる。さらに、同図に示すように、熱交換器１０の排気流が流出する出口部分に臨む排気通風路６にドレン受皿１６を設け、ドレン抜孔１３からのドレンをこのドレン受皿１６に受容するようにし、このドレン受皿１６のドレンを室外吹出口５に排水するようにすれば、包括的なドレン対策を講じた換気装置となる。
【図面の簡単な説明】
【００１６】
【図１】換気装置を示す縦断正面図である。(実施の形態1）
【図２】エアーフィルター部分の拡大断面図である。(実施の形態1）
【図３】ドレン抜孔の形態を示す平面図である。(実施の形態1）
【図４】ドレン抜孔の形態を示す平面図である。(実施の形態1）
【図５】ドレン抜孔の他の形態を示す平面図である。(実施の形態1）
【図６】ドレン受皿と排水処理部を示す拡大断面図である。(実施の形態1）
【符号の説明】
【００１７】
１  室外吸込口、  ２  室内吹出口、  ３  給気通風路、  ４  室内吸込口、  ５  室外吹出口、  ６  排気通風路、  ８  送風機、  ９  送風機、  １０  熱交換器、  １１  エアーフィルター、  １２  トレンチ、  １３  ドレン抜孔、  １４  気流阻止部材、  １５  チューブ、  １６  ドレン受皿。
【図１】
2006112729.tif 000003
【図２】
2006112729.tif 000004
【図３】
2006112729.tif 000005
【図４】
2006112729.tif 000006
【図５】
2006112729.tif 000007
【図６】
2006112729.tif 000008